(57)【要約】      （修正有）【課題】ネック段を任意の角度に屈折することが可能であり、嵌めチューブをグリップの底端に嵌合することにより、グリップの長さを延びることが可能であり、歯間の清潔作業が更に便利となる歯間ブラシを提供する。【解決手段】グリップ３１と、ネック段３２と、ブラシヘッド３３と、嵌めチューブ３４と、から構成され、グリップ３１がロッド状を呈し、ユーザが指でグリップ３１を握ることが可能であり、グリップ３１の上端から定位部３０が延び、定位部３０の上端からネック段３２が延びる歯間ブラシにおいて、ネック段３２は、螺旋式溝３２１であり、屈折可能であり、螺旋式溝３２１により、ネック段３２をある角度に保持することが可能であり、嵌めチューブ３４には、グリップ３１の幅に応じて、開口３４１を有する収容空間が形成されており、嵌めチューブ３４はグリップ３１の定位部３０と嵌合することが可能である。【選択図】図７
0003197170.tif 000002
【実用新案登録請求の範囲】
【請求項１】
グリップと、ネック段と、ブラシヘッドと、嵌めチューブと、から構成され、前記グリップがロッド状を呈し、ユーザが指で前記グリップを握ることが可能であり、前記グリップの上端から定位部が延び、前記定位部の上端からネック段が延びる歯間ブラシにおいて、
前記ネック段は、螺旋式溝であり、屈折可能であり、前記螺旋式溝により、前記ネック段をある角度に保持することが可能であり、前記嵌めチューブには、前記グリップの幅に応じて、開口を有する収容空間が形成されており、前記嵌めチューブは前記グリップの前記定位部と嵌合することが可能であることを特徴とする歯間ブラシ。
【請求項２】
前記嵌めチューブの前記開口の内周面に定位リングが設けられており、前記定位リングは前記開口へ延びる複数のリブを有し、これにより、前記嵌めチューブは、前記グリップの前記定位部と嵌合して、前記ブラシヘッドを保護することが可能であることを特徴とする、請求項１に記載の歯間ブラシ。
【請求項３】
前記嵌めチューブを前記グリップの底端に嵌合することが可能であり、これにより、前記グリップの長さを延びることが可能であることを特徴とする、請求項１に記載の歯間ブラシ。
【考案の詳細な説明】
【技術分野】
【０００１】
本考案は、歯間ブラシに関し、特に、グリップの上端から、螺旋式溝であるネック段が延び、ネック段を任意の角度に屈折することが可能であり、嵌めチューブをグリップの底端に嵌合することにより、グリップの長さを延びることが可能であり、歯間の清潔作業が更に便利となる歯間ブラシに関するものである。
【背景技術】
【０００２】
歯間ブラシ１は、歯間を清潔するための道具であり、図１に示すように、ハンドル１１と、ブラシヘッド１２と、から構成される。ハンドル１１はロッド状を呈する。ハンドル１１からブラシヘッド１２が延びている。ブラシヘッド１２に剛毛１２１が組み付けられている。このように、歯間ブラシ１により歯間を清潔することが可能である。
【０００３】
図２を参照する。図２は従来の歯間ブラシの使用状態を示す模式図である。歯１３は口腔の中央から両側へ円弧状に配列されているため、口腔の中央にある歯間１３１が歯間ブラシ１にほぼ平行し、口腔の両側にある歯１３の歯間１３１は、歯間ブラシ１を傾斜しないと当該歯間１３１を清潔することができない。そして口腔の両側にある歯１３の歯間１３１は、奥方に位置するほど、清潔が更に困難となる。口腔の奥方に位置する歯１３の歯間１３１を清潔するために、歯間ブラシ１を無理に屈折すると、歯間ブラシ１は断裂して歯間１３１に係止されやすい。
【０００４】
上記の問題を解決するために、図３に示す屈折式歯間ブラシ１０が開発されて市販している。屈折式歯間ブラシ１０は、ハンドル１０１の上端に屈折部１０１１が設けられていることにより、ブラシヘッド１０２を押さえると、屈折部１０１１が屈折されて、ブラシヘッド１０２の剛毛１０２１が外側へ傾斜する。このように、図４に示すように、口腔の奥方に位置する歯１３の歯間１３１を清潔することが可能である。しかし、屈折部１０１１は、樹脂を採用し、弾力及び撓み性を有するため、屈折されると即時に直線状に回復し、口腔の奥方に位置する歯１３の歯間１３１を有効に清潔することができない。
【０００５】
本願の出願人は、図５に示した多角度歯間ブラシ２を提案した。多角度歯間ブラシ２は、ハンドル２１の上端からネック段２２が延びる。ネック段２２は、図６に示すように、複数の環状溝２２１を有する。これらの環状溝２２１により、ネック段２２を屈折することが可能である。しかし、これらの環状溝２２１が同じ距離を置いて設けられているため、ネック段２２を屈折する力を無くすと、ネック段２２が自動的に直線状に戻る。すなわち、ネック段２２を屈折状態に保持することができない問題がある。
【考案の概要】
【考案が解決しようとする課題】
【０００６】
本考案の主な目的は、グリップの上端から、螺旋式溝であるネック段が延び、ネック段を任意の角度に屈折することが可能であり、嵌めチューブをグリップの底端に嵌合することにより、グリップの長さを延びることが可能であり、歯間の清潔作業が更に便利となる歯間ブラシを提供することにある。
【課題を解決するための手段】
【０００７】
本考案の歯間ブラシによると、グリップと、ネック段と、ブラシヘッドと、嵌めチューブと、から構成され、グリップがロッド状を呈し、ユーザが指でグリップを握ることが可能であり、グリップの上端から定位部が延び、定位部の上端からネック段が延びる歯間ブラシにおいて、
ネック段は、螺旋式溝であり、屈折可能であり、螺旋式溝により、ネック段をある角度に保持することが可能であり、嵌めチューブには、グリップの幅に応じて、開口を有する収容空間が形成されており、嵌めチューブはグリップの定位部と嵌合することが可能であることを特徴とする。
【０００８】
本考案の歯間ブラシによると、嵌めチューブの開口の内周面に定位リングが設けられており、定位リングは開口へ延びる複数のリブを有し、これにより、嵌めチューブは、グリップの定位部と嵌合して、ブラシヘッドを保護することが可能であることを特徴とする。
【０００９】
本考案の歯間ブラシによると、嵌めチューブをグリップの底端に嵌合することが可能であり、これにより、グリップの長さを延びることが可能であることを特徴とする。
【考案の効果】
【００１０】
本考案の歯間ブラシによれば、次のような効果がある。
（１）歯の間にブラシヘッドを往復に移動することにより、歯の間にあるゴミを除去することが可能である。特に、口腔の奥方にある歯の間を清潔したい場合には、歯間ブラシのネック段を屈折すると、ネック段の屈折角度が保持されるため、口腔の奥方にある歯の間を清潔することが可能である。
【００１１】
（２）本考案の歯間ブラシの屈折可能な角度が大きいため、必要によって歯間ブラシの屈折角度を調整することが可能である。
【００１２】
（３）嵌めチューブをグリップの底端に嵌合することにより、グリップの長さを延長することが可能である。
【００１３】
（４）嵌めチューブをグリップの定位部に嵌合すると、嵌めチューブがブラシヘッドを保護することが可能である。
【００１４】
（５）携帯性が極めて良く、包装が簡易である。
【図面の簡単な説明】
【００１５】
【図１】従来の歯間ブラシを示す図である。
【図２】従来の歯間ブラシの使用状態を示す図である。
【図３】従来の屈折式歯間ブラシを示す模式図である。
【図４】従来の屈折式歯間ブラシの使用状態を示す模式図である。
【図５】従来の多角度歯間ブラシを示す図である。
【図６】従来の多角度歯間ブラシのネック段を示す拡大図である。
【図７】本考案の一実施例を示す分解斜視図である。
【図８】本考案の一実施例の嵌めチューブがブラシヘッドに嵌合されている状態を示す拡大断面図である。
【図９】本考案の一実施例のネック段を示す拡大図である。
【図１０】本考案の一実施例の使用状態を示す図である。
【図１１】本考案の一実施例の嵌めチューブがグリップの底端に嵌合されている状態を示す図である。
【図１２】本考案の一実施例のグリップの長さが延長される状態を示す図である。
【考案を実施するための最良の形態】
【００１６】
以下、本考案の実施の形態を図面に基づいて説明する。
図７を参照する。図７は本考案の一実施例を示す分解斜視図である。本実施例の歯間ブラシは、グリップ３１と、ネック段３２と、ブラシヘッド３３と、嵌めチューブ３４と、から構成される。グリップ３１は、ロッド状を呈し、ユーザが指でグリップ３１を握ることが可能である。グリップ３１の上端から定位部３０が延びる。定位部３０の上端からネック段３２が延びる。ネック段３２は、螺旋式溝３２１であり、屈折可能である。螺旋式溝３２１により、ネック段３２をある角度に保持することが可能である。ブラシヘッド３３に軟質な剛毛３３１が設けられている。剛毛３３１により、歯の間にブラシヘッド３３を往復に移動すると、歯の間にあるゴミを除去することが可能である。嵌めチューブ３４には、グリップ３１の幅に応じて、開口３４１を有する収容空間が形成されている。嵌めチューブ３４の開口３４１の内周面に定位リング３４２が設けられている。定位リング３４２は、開口３４１へ延びる複数のリブ３４３を有する。これにより、嵌めチューブ３４は、グリップ３１の定位部３０と嵌合して、図８に示すように、ブラシヘッド３３を保護することが可能である。すなわち、本実施例の歯間ブラシは、携帯性が極めて良い。
【００１７】
図９を参照する。図９は本考案の一実施例のネック段を示す拡大図である。ネック段３２は、螺旋式溝３２１であり、屈折可能である。螺旋式溝３２１により、ネック段３２をある角度に保持することが可能であり、ネック段３２が自動的に直線状に戻ることはない。これにより、図１０に示すように、必要によってブラシヘッド３３の屈折角度を調整して、口腔の全ての歯の間を清潔することが可能である。
【００１８】
次に、図１１を参照しながら本実施例の使用状態を説明する。歯４が図１１に示すように配列されているため、中央にある歯４の歯間４１がブラシヘッド３３に平行する。ブラシヘッド３３に設けられている剛毛３３１を歯間４１で往復に移動することにより、歯間４１にあるゴミを除去することが可能である。なお、口腔の奥方にある歯４を清潔したい場合には、ブラシヘッド３３の屈折角度を調整することにより、口腔の奥方にある歯４を清潔することが可能である。すなわち、口腔の奥方にある歯４の歯間４１の角度がより大きい（ブラシヘッド３３に平行せず）ため、ネック段３２に少しの力を加えると、ネック段３２をある角度（最大９０度）に屈折することが可能である。ネック段３２を屈折しているときには、螺旋式溝３２１にある皺により、屈折角度が保持されて自動的に直線状に戻ることはない。このように、清潔対象物とする歯間４１の角度によってネック段３２を屈折すると、口腔の全ての歯の間を清潔することが可能である。そしてブラシヘッド３３が離脱しないため、歯間ブラシ３の寿命を延びることが可能である。
【００１９】
また、図１２に示すように、グリップ３１の長さが一定であるため、口腔の奥方にある歯間４１を清潔したいときに、グリップ３１の長さが不足である。このとき、嵌めチューブ３４をグリップ３１の底端に嵌合することにより、グリップ３１の長さを延長することが可能である。このように、口腔の奥方にある歯間４１を清潔する作業は容易となる。
【産業上の利用可能性】
【００２０】
本考案は、歯間ブラシに適用することができる。
【符号の説明】
【００２１】
１  歯間ブラシ
２  多角度歯間ブラシ
３  歯間ブラシ
４  歯
１０  屈折式歯間ブラシ
１１  ハンドル
１２  ブラシヘッド
１３  歯
１０１  ハンドル
１０２  ブラシヘッド
１２１  ハンドル
１３１  歯間
２１    ハンドル
２２  ネック段
２３  ブラシヘッド
３０  定位部
３１  グリップ
３２  ネック段
３４  嵌めチューブ
３３  ブラシヘッド
４１  歯間
２２１  環状溝
３２１  螺旋式溝
３３１  剛毛
３４１  開口
３４２  定位リング
３４３  リブ
１０１１ 屈折部
１０２１ 剛毛
【図１】
0003197170.tif 000003
【図２】
0003197170.tif 000004
【図３】
0003197170.tif 000005
【図４】
0003197170.tif 000006
【図５】
0003197170.tif 000007
【図６】
0003197170.tif 000008
【図７】
0003197170.tif 000009
【図８】
0003197170.tif 000010
【図９】
0003197170.tif 000011
【図１０】
0003197170.tif 000012
【図１１】
0003197170.tif 000013
【図１２】
0003197170.tif 000014